(57)【要約】【課題】漏れ光のあるＬＥＤ発光素子を読み取り用光源に使用した場合でも、効率よく、かつ、画像の劣化を招くことなく原稿面を照射することによって良好な画像を得る。【解決手段】照明装置を複数個のＬＥＤ発光素子５０１を列設して形成されたＬＥＤアレイ４０２を備え、原稿の読取範囲を照明する光源と、前記ＬＥＤ発光素子５０１の１面に配置された発光面以外の面から射出される光を反射して少なくとも前記光の一部を前記原稿の読取範囲に向けて射出する反射部材７０１とを備えるものとして構成する。【選択図】図４
2008172562.tif 000002
【特許請求の範囲】
【請求項１】
複数個の発光素子を列設して形成された光照射体を備え、原稿の読取範囲を照明する光源と、
前記発光素子の１面に配置された発光面以外の面から射出される光を反射して少なくとも前記光の一部を前記原稿の読取範囲に向けて射出する反射部材と、を備えることを特徴とする照明装置。
【請求項２】
前記反射部材が反射した光の少なくとも一部を、前記原稿面の読取範囲内に向けて射出する第２の反射部材を備えることを特徴とする請求項１記載の照明装置。
【請求項３】
前記光照射体の側面から射出される主走査方向の漏れ光を反射して、原稿面の読取範囲内に射出する反射部材を備えることを特徴とする請求項１又は２記載の照明装置。
【請求項４】
前記発光素子の発光面と原稿の間に原稿に光を導く導光部材が配置され、
前記反射部材は、反射部材による反射光が前記導光部材の入射面に入射されるように配置することを特徴とする請求項１乃至３のいずれか記載の照明装置。
【請求項５】
前記反射部材の一部を前記導光部材に対して隙間なく配置することを特徴とする請求項４記載の照明装置。
【請求項６】
前記反射部材を前記導光部材に取り付けて配置することを特徴とする請求項５記載の照明装置。
【請求項７】
前記発光素子は前記基板の実装平面方向に光を照射する発光素子であり、前記発光素子の発光面以外の面から漏れる光の一部が原稿面の読取範囲内に導かれるように配置した反射部材の一部を該発光素子における発光方向の反対方向に延長させて配置することを特徴とする請求項４記載の照明装置。
【請求項８】
前記反射部材は金属材料を反射面としたものであることを特徴とする請求項１乃至７のいずれか記載の照明装置。
【請求項９】
前記反射部材は導光部材の内面に形成された反射面であることを特徴とする請求項１乃至７のいずれか記載の照明装置。
【請求項１０】
前記反射部材は、前記導光部材及び前記光照射体の少なくとも一つを固定するための固定部材によって保持されていることを特徴とする請求項１乃至９のいずれか記載の照明装置。
【請求項１１】
前記固定部材に反射部を形成し、請求項１乃至８のいずれか記載の反射部材を形成したことを特徴とする請求項１０記載の照明装置。
【請求項１２】
請求項１乃至１１のいずれか記載の照明装置を備えることを特徴とする画像読取装置。
【請求項１３】
請求項１２に記載の画像読取装置を備えることを特徴とする画像形成装置。
【発明の詳細な説明】
【技術分野】
【０００１】
本発明は、照明装置、画像読取装置及び画像形成装置に係り、特に平板状の基板上に発光素子を列設して光を照射する光照射体を備える照明装置、画像読取機構及び画像読取装置及び画像形成装置に関する。
【背景技術】
【０００２】
原稿に光を照射し、原稿の反射光をＣＣＤ、ＣＭＯＳ等で構成される撮像素子により読み取る画像読取装置として次のものがある。
【０００３】
このような画像読取装置としては、一般的な縮小光学系を備え、光源としてキセノンランプを使用したものがある。図１４は従来の画像読取装置の照明装置を示す概略断面図である。照明装置は、図１４に示すように、第１走行体１０３上に光源として円筒形状のキセノンランプ１０４を備えており、キセノンランプ１０４の照射光をコンタクトガラス１０２上の原稿に照射し、原稿の拡散反射光をレンズによって撮像素子に導き、この撮像素子で電気信号に変換している。このような画像読取装置は、前記原稿からの反射光を偏向する第１ミラーを含む第１走行体、第２ミラーからの光を更に偏向する第２ミラー、第３ミラーを含む第２走行体を備え、前記第１走行体及び第２走行体が画像読取装置に設けられたレール上を走行することにより、原稿をスキャンする。
【０００４】
この例では、第１走行体１０３には、キセノンランプ１０４からの光を反射して照度分布を適正化、及び、切り貼り原稿読取時の影をなくすための対向反射板３０１を配置ている。
【０００５】
近年、画像読取装置における光源には、立ち上がり時間の短縮化、省エネルギー化、長寿命化に対する要望があり、前記キセノンランプの代替光源として発光ダイオード（ＬＥＤ）を採用する構成が実用化されてきている。図１５はＬＥＤ発光素子を使用した照明装置を示す図であり、（ａ）は概略断面図、（ｂ）は斜視図である。このようにＬＥＤ発光素子４０１を縮小光学系に採用した照明装置の場合、等倍光学系に比べて原稿面から撮像素子までの距離が長くなり、その間での光の減衰が大きいため、より高い原稿面照度が必要となる。そのため、図１５に示すように、複数のＬＥＤ発光素子４０１を基板にアレイ状に配置したＬＥＤアレイ４０２を第１走行体１０３に配置し、原稿面での照度を上げるような試みがなされている。この例では、第１走行体１０３にはＬＥＤ発光素子４０１の他、対向反射板３０１が配置されている。また、この例では、ＬＥＤ発光素子４０１としてはサイドビュータイプのものを使用しており、このようなＬＥＤ発光素子４０１は、ＬＥＤアレイ４０２への実装面に平行な方向に光を発する。
【０００６】
一方、ＬＥＤ発光素子そのものについてみると、ＬＥＤ発光素子は、さまざまな機器に使用されるようになり、近年で数倍の光量となった。図１６はＬＥＤ発光素子の発光状態を示す図であり、（ａ）はサイドビュータイプのＬＥＤ発光素子を示す斜視図、（ｂ）はトップビュータイプのＬＥＤ発光素子を示す斜視図である。
【０００７】
このような光量の増加に伴い、近年の高光量化及び小型化されたＬＥＤでは、図１６に示すように、発光面５０３以外の部分から光が漏れてしまうという問題がある。例えば、図１５（ａ）に示すように、サイドビュータイプのＬＥＤ５０１では、発光面５０３以外の面からも光５０５が漏れてしまい、特にパッケージ上部５０４からの漏れ光は多い。また、図５（ｂ）のように、トップビュータイプのＬＥＤ発光素子５０２ではパッケージ側面５０６から光が漏れてしまう。この課題に対し、パッケージを改善することにより解決する方法があるが、一般的にパッケージはポリマー等の樹脂で形成されているため肉厚を厚くすることによる改善はあまり見込めない。また、樹脂以外の光が透過のしない材質で形成すれば漏れ光はなくなるが、コスト高となってしまうという問題がある。
【０００８】
図１７は光漏れが発生するＬＥＤ発光素子を使用した照明装置を示す概略断面図である。このような漏れ光の伴ったＬＥＤ発光素子５０１を使用したＬＥＤアレイ４０２を照明装置の光源として使用した場合には、図１７に示すように、画像読取範囲６０１以外の部分にも光を照射してしまい、この光による原稿面からの反射光が光軸上に入射してフレア成分となり、本来読み取りたい部分以外の反射光が撮像素子に入射してしまい、画像品質の劣化を招いてしまう。この問題の対策として、ＬＥＤからの漏れ光が原稿面に照射されないようにカバーを設けることもできるが、この方法ではフレア成分は遮断してはいるものも、光源からの光の効率的な利用という点で良好ではない。
【０００９】
ＬＥＤ発光素子が発する光を有効利用する照明装置について以下のものが開示されている。特許文献１には、発光分布の比較的広いＬＥＤを用いた照明装置において、断面形状において、幅に対する長さの比（矩形比と呼ぶ）が１以上の長方形に内接（一部一致を含む）する多角形状の導光板の光軸を原稿面に対し所定角度傾斜して配置し、側面は反射面とし、導光板の、入射面にＬＥＤを密接させ、原稿面において、直接光及び反射面からの反射光による照度分布の合成曲線の高照度部を最大読取幅として、この中に読取領域を設定するものが記載されている。
【００１０】
特許文献２には、ライン状の発光領域を形成する光源装置と、この光源装置から発せられた光を画像読み取り領域に導くための照明用光路を内部に形成したケースと、画像読み取り領域に配置された原稿Ｄから反射してきた光を列状に配された複数の受光素子上に集束させて原稿の画像を結像させる複数の結像用レンズを有するレンズアレイと、を具備している、画像読み取り装置であって、照明用光路の長手方向端部の壁面の少なくとも一部は、光源装置からこの照明用光路の長手方向端部に進行してきた光を画像読み取り領域に向けて反射可能な光反射面とされているものが記載されている。
【特許文献１】特開２００６−６７５５１
【特許文献２】特開２０００−１１５４６８
【発明の開示】
【発明が解決しようとする課題】
【００１１】
本発明は、このような背景に鑑みてなされたものであり、漏れ光のあるＬＥＤ発光素子を読み取り用光源に使用した場合でも、効率よく、かつ、画像の劣化を招くことなく原稿面を照射することによって良好な画像を得ることができる照明装置、画像読取装置及び画像形成装置を提供することを目的とする。
【課題を解決するための手段】
【００１２】
請求項１の発明は、複数個の発光素子を列設して形成された光照射体を備え、原稿の読取範囲を照明する光源と、前記発光素子の１面に配置された発光面以外の面から射出される光を反射して少なくとも前記光の一部を前記原稿の読取範囲に向けて射出する反射部材と、を備えることを特徴とする照明装置である。
【００１３】
請求項２の発明は、請求項１記載の照明装置において、前記反射部材が反射した光の少なくとも一部を、前記原稿面の読取範囲内に向けて射出する第２の反射部材を備えることを特徴とする。
【００１４】
請求項３の発明は、請求項１又は２記載のる照明装置において、前記光照射体の側面から射出される主走査方向の漏れ光を反射して、原稿面の読取範囲内に射出する反射部材を備えることを特徴とする。
【００１５】
請求項４の発明は、請求項１乃至３のいずれか記載の照明装置において、前記発光素子の発光面と原稿の間に原稿に光を導く導光部材が配置され、前記反射部材は、反射部材による反射光が前記導光部材の入射面に入射されるように配置することを特徴とする。
【００１６】
請求項５の発明は、請求項４記載の照明装置において、前記反射部材の一部を前記導光部材に対して隙間なく配置することを特徴とする。
【００１７】
請求項６の発明は、請求項５記載の照明装置において、前記反射部材を前記導光部材に取り付けて配置することを特徴とする。
【００１８】
請求項７の発明は、請求項４記載の照明装置において、前記発光素子は前記基板の実装平面方向に光を照射する発光素子であり、前記発光素子の発光面以外の面から漏れる光の一部が原稿面の読取範囲内に導かれるように配置した反射部材の一部を該発光素子における発光方向の反対方向に延長させて配置することを特徴とする。
【００１９】
請求項８の発明は、請求項１乃至７のいずれか記載の照明装置において、前記反射部材は金属材料を反射面としたものであることを特徴とする。
【００２０】
請求項９の発明は、請求項１乃至７のいずれか記載の照明装置において、前記反射部材は導光部材の内面に形成された反射面であることを特徴とする。
【００２１】
請求項１０の発明は、請求項１乃至９のいずれか記載の照明装置において、前記反射部材は、前記導光部材及び前記光照射体の少なくとも一つを固定するための固定部材によって保持されていることを特徴とする。
【００２２】
請求項１１の発明は、請求項１０記載の照明装置において、前記固定部材に反射部を形成し、請求項１乃至８のいずれか記載の反射部材を形成したことを特徴とする。
【００２３】
請求項１２の発明は、請求項１乃至１１のいずれか記載の照明装置を備えることを特徴とする画像読取装置である。
【００２４】
請求項１３の発明は、請求項１２に記載の画像読取装置を備えることを特徴とする画像形成装置である。
【発明の効果】
【００２５】
本発明によれば、漏れ光が生じてしまう発光素子を使用した場合にその漏れ光を原稿照射光として利用するために反射部材を配置しているので、損失となる光量が少なく、高い効率でＬＥＤ発光素子の光を使用することができる。また、読み取り範囲以外に光が照射されないので、フレア成分となる光が生じることがなく、より良好な画像を得ることが可能となる。また、漏れ光をなくすためにパッケージを厚くする等の対策を行う必要がないため製造コストを低減できる。
【発明を実施するための最良の形態】
【００２６】
以下本発明を実施するための最良の形態としての実施例を図面に基づいて説明する。
【実施例】
【００２７】
図１は本発明に係る電子写真方式の複写機やプリンタ装置等の画像形成装置を概念的に示す断面図である。本実施例の画像形成装置は、その主な構成としては、原稿を読み取る画像読取装置１１、画像を形成する画像形成部１２、自動原稿搬送装置（ＡＤＦ）１３、ＡＤＦ１３から送り出される原稿をスタックする原稿排紙トレイ１４、給紙カセット１５乃至１８を備える給紙部１９、記録用紙をスタックする排紙部（排紙トレイ２０）により構成してある。  
【００２８】
そして、ＡＤＦ１３の原稿台２１上に原稿Ｄをセットして図示せぬ操作部での操作、例えばプリントキーの押下操作をすると、最上位の原稿Ｄがピックアップローラ２２の回転により矢印Ｂ１方向へ送り出され、原稿搬送ベルト２３の回転により、画像読取装置１１に固定されたコンタクトガラス２４上へ給送され、そこで停止する。コンタクトガラス２４上に載置された原稿Ｄの画像は、画像形成部１２とコンタクトガラス２４の間に位置する画像読取装置１１によって読み取る。画像読取装置１１は、コンタクトガラス２４上の原稿Ｄを照明する光源２６、原稿画像を結像する光学系２７、原稿画像を結像させるＣＣＤ等からなる光電変換素子２８等を有している。画像読み取り終了後、原稿Ｄを原稿搬送ベルト２３の回転により矢印Ｂ２方向へ搬送して原稿排紙トレイ１４上へ排出する。このように、原稿Ｄを１枚ずつコンタクトガラス２４上へ給送して原稿画像を画像読取装置１１によって読み取る。  
【００２９】
一方、画像形成部１２の内部には、像担持体である感光体３０が配置してある。感光体３０は、図において時計方向に回転駆動し、帯電装置３１によって表面を所定の電位に帯電させる。また、書き込みユニット３２からは、画像読取装置１１によって読み取った画像情報に応じて光変調したレーザ光Ｌを照射し、帯電させた感光体３０の表面をこのレーザ光Ｌで露光し、これによって感光体３０の表面に静電潜像を形成する。この静電潜像は、現像装置３３を通るとき、対向する転写装置３４によって感光体３０と転写装置３４の間に給送された記録媒体Ｐに転写する。トナー像転写後の感光体３０の表面は、クリーニング装置３５によって清掃する。  
【００３０】
画像形成部１２の下部に配置した複数の給紙カセット１５乃至１８には、紙等の記録媒体Ｐを収容してあり、いずれかの給紙カセット１５乃至１８から記録媒体Ｐを矢印Ｂ３方向へ送り出し、その記録媒体Ｐの表面に、上述のように感光体３０の表面に形成したトナー像を転写する。次に、記録媒体Ｐを矢印Ｂ４で示すように画像形成部１２内の定着装置１００を通し、熱と圧力の作用によって記録媒体Ｐの表面に転写されたトナー像を定着させる。３６を通った記録媒体Ｐを排出ローラ対３７によって搬送し、矢印Ｂ５で示すように排紙トレイ２０へ排出し、スタックする。
【００３１】
次に画像読取装置の構成について説明する。図２は画像読取装置の構成を示す概略断面図、図３は画像読取装置の構成を示す概略斜視図である。
【００３２】
画像読取装置１０１（１１）は、図２に示すように、光照射体であるＬＥＤアレイ４０２及び両端支持された第１ミラー１０５よりなる第１走行体１０３である第１ミラーユニット、及び両端支持された第２ミラー１０７、第３ミラー１０８よりなる第２走行体１０６である第２ミラーユニットを備えている。また、画像読取装置１０１は、原稿を撮像するＣＣＤ等の撮像素子１１０、この撮像素子１１０に原稿増を結像させるレンズ１０９を備えており、ホストコンピュータから送られてくる１ライン毎の画像読取要求の信号に応じて、第１ミラーユニット及び第２ミラーユニットはそれぞれ２：１の速度で原稿に沿って移動しながら逐次画像の読取を行うよう構成されている。
【００３３】
画像読取装置１０１では、第１走行体１０３が一定の速度で往動するとともに、第２走行体１０６が第１走行体１０３の１／２の速度で第１走行体１０３に追従して往動する。これにより、コンタクトガラス１０２上の原稿が光学的に走査される。コンタクトガラス１０２上の原稿がＬＥＤアレイ４０２等により照明されて、その反射光像が第１ミラー１０５、第２ミラー１０７、第３ミラー１０８を介してレンズ１０９に導かれ、レンズ１０９により撮像素子１１０上に結像される。
【００３４】
この撮像素子１１０は、結像された原稿の反射光像を光電変換してアナログ画像信号とし、原稿の読み取りが行われる。そして、原稿の読み取り終了後に、第１走行体１０３と第２走行体１０６とはホームポジション位置に復動する。なお、撮像素子１１０から出力されたアナログ画像信号は、アナログ／デジタル変換器によりデジタル画像信号に変換され、画像処理回路を搭載した回路基板において、各々の画像処理（２値化、多値化、階調処理、変倍処理、編集処理など）が施される。
【００３５】
次に照明装置について説明する。図４は本発明に係る照明装置の第１の実施例を示す図であり、（ａ）はサイドビュータイプのＬＥＤ発光素子を使用した照明装置の概略断面図、（ｂ）はトップビュータイプのＬＥＤ発光素子を使用した照明装置の概略断面図である。
【００３６】
サイドビュータイプのＬＥＤ発光素子５０１を使用した照明装置は、図４（ａ）に示すように、第１走行体１０３には、ＬＥＤアレイ４０２、対向反射板３０１、原稿面での反射光を撮像素子に導く第１ミラー１０５を備えている。本例では、ＬＥＤアレイ４０２は、適度な照度分布を得るため、その発光面を原稿面に対し傾けた状態に配置する。また本例では、ＬＥＤ発光素子５０１の上面からの漏れ光を原稿面の読み取り範囲に照射するために、ＬＥＤ発光素子５０１の上部に反射部材７０１を配置している。
【００３７】
トップビュータイプのＬＥＤ発光素子５０２を使用した照明装置は、図４（ｂ）に示すように、ＬＥＤ発光素子５０２の側面からの漏れ光を原稿面の読取範囲に照射する反射部材７０１を備えている。本例では、ＬＥＤ発光素子５０１の上面からの漏れ光を原稿面の読み取り範囲に照射するために、ＬＥＤ発光素子５０１の側部に反射部材として、２枚の反射部材７０１を配置している。
【００３８】
上記各例において、反射部材７０１は反射面が形成された金属、ガラス、合成樹脂製の部材であり、画像読取範囲内に光を反射させるように、反射部材７０１はＬＥＤの漏れ光が生じている面に対して傾けて配置されている。これにより、漏れ光を原稿照射光として利用でき、効率を良好なものとし、フレア光となる成分を低減することができる。なお、前記画像読取範囲は、撮像素子の受光面及び光学部品の縮率等から換算される原稿面上の撮像範囲とそれら光学部品等のばらつきを考慮した範囲である。
【００３９】
本実施例によれば、漏れ光が生じてしまう発光素子を使用した場合にその漏れ光を原稿照射光として利用できるので、損失となる光量が少なく、効率がよい。また、読み取り範囲以外に光が照射されないので、フレア成分となる光が生じることがなく、より良好な画像を得ることが可能となる。また、漏れ光をなくすためにパッケージを厚くする等の対策を行う必要がないためコストを低減できる。
【００４０】
次に、第２の実施例について説明する。図５は本発明に係る照明装置の第２の実施例を示す概略断面図である。本例において、照明装置は、ＬＥＤ発光素子の漏れ光を反射部材で２回反射して読取範囲に導く。本例において、照明装置は、サイドビュータイプのＬＥＤ発光素子５０１を使用しており、ＬＥＤ発光素子５０１の上部には、反射部材として平面の反射部材７０１が配置されている。この例では、反射部材７０１は、その反射光の一部が対向反射板３０１に向け照射されて、この照射された光は、対向反射板３０１で反射され、画像読取範囲に導かれる。反射部材は、金属、ガラス、合成樹脂等で形成され、反射面を備える。
【００４１】
平面状の反射面を備える反射部材を使用した場合、漏れ光の放射角度によっては読取範囲にすべての光を導くことが難しいため、図５に示すように、一部の光を対向反射板に導けば、第１実施例の照明装置よりも多く光を画像読取範囲に導くことができる。なお、本実施例は、トップビュータイプのＬＥＤ発光素子を使用した照明装置に適用できる。
【００４２】
本実施例によれば、漏れ光が生じてしまう発光素子を使用した場合にその漏れ光の一部を、対向反射板を介して原稿照射光として利用できるので、第１の実施例の反射部材で読み取り範囲に導くことができない光も導くことができるため、請求項１に記載の効果より更に効率がよいものとできる。
【００４３】
次に、第３の実施例について説明する。図６は本発明に係る照明装置の第３の実施例を示す斜視図である。本例において、照明装置は、サイドビュータイプのＬＥＤ発光素子５０１を使用しており、ＬＥＤ発光素子５０１の上面に反射板９０１を設け、この反射板９０１による反射光を読み取り範囲に射出している他、ＬＥＤ発光素子５０１の側面にも反射部９０２を設けている。本例では、反射部９０２により、ＬＥＤ発光素子５０１の主走査側側面すなわちアレイ側面から漏れる光も画像読取範囲に導くことができる。なお、図示した例では、反射板９０１を延設して、曲げることにより反射部９０２を形成しているが、別部品として反射部材を配置することができる。なお、本実施例はトップビュータイプのＬＥＤ発光素子を使用した照明装置に適用できる。
【００４４】
本実施例によれば、前記第１及び第２の実施例で配置した反射部材に加え、光照射体の側面にも反射部材を設けているので、光照射体側面から漏れる光も導光部材に導くことができ光の利用効率を更に向上させることができる。
【００４５】
次に、第４の実施例について説明する。図７は本発明に係る照明装置の第４の実施例を示す概略断面図である。本例において、照明装置は、導光部材として導光部材１００１を備えている。導光部材１００１は、ＬＥＤ発光素子５０１の発光面に隣接して配置され、ＬＥＤ発光素子５０１からの光を導く他、上側に受光面１００１aを備え、ＬＥＤ発光素子５０１の漏れ光が導入できるように構成されている。ＬＥＤ発光素子５０１には、前記導光部材１００１の受光面１００１aに入射されるように反射部材７０１を配置している。本例では、反射部材７０１からの光はＬＥＤ５０１の発光面から出射された光と同様に、導光部材１００１の出射面から射出される光は画像読取範囲６０１に射出される。
【００４６】
ここで、導光部材１００１は光を主走査方向に広げるために使用するものである。また、この導光部材１００１が、例えばＰＭＭＡやガラスなど透過率が高く、空気中との屈折率比が√２以上の材質であれば、光の全反射を利用し、ＬＥＤから射出された光を導光部材側面から漏らすことなく、効率よく出射面に光を導くことができる。なお、導光部材はＬＥＤから発光した光の損失が少なくなるように、可能な限りＬＥＤの発光面に近づけることが望ましく、従って、前記のように反射部材を配置する場合、導光部材の厚みはＬＥＤの発光面の高さより厚い必要がある。更には、発光面の高さをｈ、発光素子上部の長さをＬとした場合、導光部材厚みは（ｈ＋Ｌ）以上であることが望ましい。なお、本実施例は、トップビュータイプのＬＥＤ発光素子を使用した照明装置に適用できる。
【００４７】
本実施例によれば、発光素子からの漏れ光が導光部材入射面に反射されるように配置しているため、漏れ光を発光素子の発光面からの光と同様に導いて読取範囲に光を照射することができる。
【００４８】
次に、第５の実施例について説明する。図８は本発明に係る照明装置の第５の実施例を示す概略断面図である。本例において、照明装置は、図８に示すように、反射部材１１０１の上部を導光部材１００１に密着させ、反射部材１１０１と導光部材１００１とを隙間なく配置している。本例では、導光部材１００１と反射部材１１０１の間に隙間が生じないので、漏れ光を損失なく導光部材１００１の受光面１００１aに導くことができる。また、導光部材１００１とＬＥＤ発光素子５０１との間に隙間がある場合、ＬＥＤ発光素子５０１の発光面からの出射光が前記隙間から漏れてしまうが、本例によれば部品配置に起因する光の損失も防止することができる。なお、本実施例は、トップビュータイプのＬＥＤ発光素子を使用した照明装置に適用できる。
【００４９】
本実施例によれば、反射部材を導光部材と隙間なく配置しているため、発光素子発光面からの出射光のうち、導光部材入射面と発光素子発光面の間から漏れる光を再度導光部材に導くことができるのでより効率がよい。なお、本実施例は、漏れ光のない発光素子を使用した照明装置にも適用できる。漏れ光のない発光素子を使用した場合でも導光部材入射面と発光素子発光面の間からは光が漏れてしまうのことがあり、本実施例を適用して光の漏れによるフレアを防止できる。
【００５０】
次に、第６の実施例について説明する。図９は本発明に係る照明装置の第６の実施例を示す概略断面図である。本例において、照明装置は、図９に示すように、ＬＥＤ発光素子５０１の上面に配置した反射部材１２０１の上縁を延設し、導光部材１００１の上側面と接着している。本例では、導光部材１００１とＬＥＤ発光素子５０１の間からの光の漏れによる損失を防止することができる他、反射部材と導光部材の角度が反射部材の形状のみによって決まり、位置決めによる角度の調整が必要ないので導光部材の入射面に光を導きやすい。また、別途反射部材を固定もしくは保持する必要がないので構成が簡潔となる。
【００５１】
なお、漏れ光のない発光素子を使用した場合であっても導光部材入射面と発光素子発光面の間からは光が漏れてしまうことがあるので、前記反射部材を導光部材に隙間なく配置することにより光漏れを防止することができる。
【００５２】
次に、第７の実施例について説明する。図１０は本発明に係る照明装置の第７の実施例を示す概略断面図である。本例において、照明装置は、図１０に示すように、サイドビュータイプのＬＥＤ５０１に反射部材１３０１を配置している。反射部材１３０１は、ＬＥＤアレイ４０２に配置されたとき、その後方の一部が反射部材１３０１の後側に延設され後方反射部１２０２が形成されるように屈曲形成されている。本例では、ＬＥＤ発光素子５０１から射出された光のうち導光部材１００１の受光面１００１aで正反射した光１３０２を後方反射部１２０２で再び導光部材１００１に導くことができる。ここで、ＬＥＤ発光素子５０１の後部の後方反射部１２０２は、図１０に示すように、導光部材１００１の受光面１００１aに対して平行に配置されることが望ましい。また、本実施例によれば、ＬＥＤ発光素子５０１のパッケージ後部からの漏れ光も利用できる上に、フレア成分となりうる光がＬＥＤアレイ後部から漏れてしまうことがなくなる。
【００５３】
次に、第８の実施例について説明する。図１１は本発明に係る照明装置の第８の実施例を示す概略断面図である。本実施例において、照明装置は、反射部材１４０１をアルミ等の金属材料で形成して反射面を凹面としている。反射部材を金属製とすることにより、ガラス材料を反射部材とした場合と異なり反射部材１４０１を自由な曲面とすることができる。このため、凹面の曲率の大きさ及び配置によって読み取り範囲に漏れ光を集光させることができ、効率よく読み取り範囲に光を導くことができる。
【００５４】
次に、第９の実施例について説明する。図１２は本発明に係る照明装置の第９の実施例を示す概略断面図である。本実施例において、照明装置は、ＬＥＤ発光素子４０１の光を導く導光部材１５０１に反射面１５０１aを形成し、反射部材としての作用を兼備するものである。導光部材１５０１に形成する反射面１５０１aは、ＬＥＤ発光素子５０１からの漏れ光が全反射する角度に形成されている。このため、漏れ光は、反射面１５０１aで反射されて、導光部材１５０１内を導かれて射出されることとなる。本実施例によれば、別部材として反射部材を設ける必要がないので製造コストを低減することができる。なお、本実施例では、漏れ光の射出角度によって反射面１５０１aでは全反射せず、フレア成分として導光部材１５０１から漏れてしまうことがあるので、それを防ぐためにカバー部材１５０２を配置することが望ましい。
【００５５】
次に、第１０の実施例について説明する。図１３は本発明に係る照明装置の第１０の実施例を示す概略断面図である。本実施例において、照明装置は、図１３に示すように、導光部材１００１及びＬＥＤアレイを固定部材１６０２で固定し、この固定部材１６０２の内側部に反射部材１６０１を配置して構成されている。固定部材１６０２はＬＥＤアレイ４０２を面で加圧し、ＬＥＤアレイを支持する受台１６０３の平面度が規定された面に添わせることによりＬＥＤアレイの撓みを防ぐために使用される。
【００５６】
また、固定部材１６０２は、導光部材１００１を使用する場合にあっては、導光部材１００１を固定する機能の他にも、導光部材１００１に傷等がある場合に生じてしまう側面からの漏れ光、及び、導光部材入射面とＬＥＤ発光素子５０１の発光面の間から漏れてしまう光が読み取り範囲以外に照射されてしまうことを防ぐ機能をも有している。従って、本実施例によれば、反射部材を単独で取り付ける必要がなく、構成が簡潔となる。また、固定部材を樹脂等で形成すれば、実装面に対して傾斜を持った複雑な形状も容易となり、フィルムを蒸着して反射面とした反射フィルムを貼り付けることによって反射部材１６０１を形成することができる。
【００５７】
次に、第１０の実施例の変形例について説明する。この例は、第１０の実施例において、固定部材１６０２の反射部材の取付面に反射機能を持たせるものである。固定部材が樹脂等の形成品であれば、蒸着等により反射面を形成することができる。また、固定部材１６０２そのものをアルミ等の高反射の素材で形成し、反射面を形成し光を反射させることによっても同様の効果を得ることができる。ただし、この場合、コンタクトガラス等からの照り返しが固定部材で反射し、その反射光がフレア光とならないように、反射面以外の面は黒色に着色するなどして低反射率とすることが望ましい。
【図面の簡単な説明】
【００５８】
【図１】本発明に係る電子写真方式の複写機やプリンタ装置等の画像形成装置を概念的に示す断面図である。
【図２】画像読取装置の構成を示す概略断面図である
【図３】画像読取装置の構成を示す概略斜視図である。
【図４】本発明に係る照明装置の第１の実施例を示す図であり、（ａ）はサイドビュータイプのＬＥＤ発光素子を使用した照明装置の概略断面図、（ｂ）はトップビュータイプのＬＥＤ発光素子を使用した照明装置の概略断面図である。
【図５】本発明に係る照明装置の第２の実施例を示す概略断面図である。
【図６】本発明に係る照明装置の第３の実施例を示す斜視図である。
【図７】本発明に係る照明装置の第４の実施例を示す概略断面図である。
【図８】本発明に係る照明装置の第５の実施例を示す概略断面図である。
【図９】本発明に係る照明装置の第６の実施例を示す概略断面図である。
【図１０】本発明に係る照明装置の第７の実施例を示す概略断面図である。
【図１１】本発明に係る照明装置の第８の実施例を示す概略断面図である。
【図１２】本発明に係る照明装置の第９の実施例を示す概略断面図である。
【図１３】発明に係る照明装置の第１０の実施例を示す概略断面図である。
【図１４】従来の画像読取装置の照明装置を示す概略断面図である。
【図１５】ＬＥＤ発光素子を使用した照明装置を示す図であり、（ａ）は概略断面図、（ｂ）は斜視図である。
【図１６】ＬＥＤ発光素子の発光状態を示す図であり、（ａ）はサイドビュータイプのＬＥＤ発光素子を示す斜視図、（ｂ）はトップビュータイプのＬＥＤ発光素子を示す斜視図である。
【図１７】光漏れが発生するＬＥＤ発光素子を使用した照明装置を示す概略断面図である。
【符号の説明】
【００５９】
１１  画像読取装置
１２  画像形成部
１４  原稿排紙トレイ
１５〜１８  給紙カセット
１９  給紙部
２０  排紙トレイ
２１  原稿台
２２  ピックアップローラ
２３  原稿搬送ベルト
２４  コンタクトガラス
２６  光源
２７  光学系
２８  光電変換素子
３０  感光体
３１  帯電装置
３２  書き込みユニット
３３  現像装置
３４  転写装置
３５  クリーニング装置
３７  排出ローラ対
１００  定着装置
１０１  画像読取装置
１０２  コンタクトガラス
１０３  第１走行体
１０４  キセノンランプ
１０５  第１ミラー
１０６  第２走行体
１０７  第２ミラー
１０８  第３ミラー
１０９  レンズ
１１０  撮像素子
３０１  対向反射板
４０１  ＬＥＤ発光素子
４０２  ＬＥＤアレイ
５０１  ＬＥＤ発光素子
５０２  ＬＥＤ発光素子
５０３  発光面
５０４  パッケージ上部
５０５  光
５０６  パッケージ側面
６０１  画像読取範囲
７０１  反射部材
８０１  導光部材
９０１  反射板
９０２  反射部
１００１  導光部材
１００１a  受光面
１１０１  反射部材
１２０１  反射部材
１２０２  後方反射部
１３０１  反射部材
１３０２  光
１４０１  反射部材
１５０１  導光部材
１５０１a  反射面
１５０２  カバー部材
１６０１  反射部材
１６０２  固定部材
１６０３  受台
【図１】
2008172562.tif 000003
【図２】
2008172562.tif 000004
【図３】
2008172562.tif 000005
【図４】
2008172562.tif 000006
【図５】
2008172562.tif 000007
【図６】
2008172562.tif 000008
【図７】
2008172562.tif 000009
【図８】
2008172562.tif 000010
【図９】
2008172562.tif 000011
【図１０】
2008172562.tif 000012
【図１１】
2008172562.tif 000013
【図１２】
2008172562.tif 000014
【図１３】
2008172562.tif 000015
【図１４】
2008172562.tif 000016
【図１５】
2008172562.tif 000017
【図１６】
2008172562.tif 000018
【図１７】
2008172562.tif 000019